(57)【要約】【課題】  複数階の床をつなぐ階段構造において、階段の荷重を分散することが可能な階段構造およびユニット建物を提供する。【解決手段】  複数階の床をつなぐ階段構造であって、矩形パネル状の中央壁６０と、中央壁６０の外側を取り巻くように設置される廻り階段５１と、廻り階段５１の外周に設置される外周壁７０と、を備え、廻り階段５１の内側は、中央壁６０に支持され、廻り階段５１の外側は、外周壁７０に支持され、外周壁７０は、外周壁７０が配置された階の床に支持され、中央壁６０は、中央壁６０が配置された階の下階に配置された中央壁６０に連結され、最下階に配置された中央壁６０は、最下階の床に支持される。【選択図】図１７
2019127772.tif 000002
【特許請求の範囲】
【請求項１】
複数階の床をつなぐ階段構造であって、
矩形パネル状の中央壁と、
前記中央壁の外側を取り巻くように設置される廻り階段と、
前記廻り階段の外周に設置される外周壁と、を備え、
前記廻り階段の内側は、前記中央壁に支持され、
前記廻り階段の外側は、前記外周壁に支持され、
前記外周壁は、前記外周壁が配置された階の前記床に支持され、
前記中央壁は、前記中央壁が配置された階の下階に配置された前記中央壁に連結され、
最下階に配置された前記中央壁は、最下階の前記床に支持される
ことを特徴とする階段構造。
【請求項２】
上階の前記床が前記中央壁に接続する辺は、前記中央壁に支持される
ことを特徴とする請求項１に記載の階段構造。
【請求項３】
前記廻り階段は、前記中央壁を取り巻くように、２７０度向きを変えて配置される
ことを特徴とする、請求項１または２に記載の階段構造。
【請求項４】
前記廻り階段の外側は、前記外周壁の内壁に取り付けられた支持手段によって支持される
ことを特徴とする、請求項１〜３の何れか一項に記載の階段構造。
【請求項５】
各階を構成する建物ユニットを備え、
各階の前記床には、請求項１〜４の何れか一項に記載の階段構造が接続される
ことを特徴とするユニット建物。
【発明の詳細な説明】
【技術分野】
【０００１】
本発明は、複数階の床をつなぐ階段構造およびユニット建物に関するものである。
【背景技術】
【０００２】
階段のうち、廻りながら昇降するようにした構造の廻り階段が広く普及するに至っている。このような廻り階段では、廻り階段の内側に設置された中間壁と、廻り階段の外側に設置された間仕切り壁と、を備える階段構造が知られている（例えば、特許文献１参照）。
【先行技術文献】
【特許文献】
【０００３】
【特許文献１】特開２００８−１９６１３６号公報
【発明の概要】
【発明が解決しようとする課題】
【０００４】
ところで、階段には、居住者が通行するための吹き抜けを設ける必要がある。そのため、複数階の床をつなぐ階段を備える場合、特許文献１に記載の階段構造では、上階の中間壁を床に支持させることができず、上階の階段の荷重の全部を、階段の外周に設置された間仕切り壁に負担させることとなる。その結果、特許文献１に記載の階段構造では、階段の荷重を分散させることができない、という問題がある。
【０００５】
そこで、本発明は、複数階の床をつなぐ階段構造において、階段の荷重を分散させることが可能な階段構造およびユニット建物を提供することを目的としている。
【課題を解決するための手段】
【０００６】
前記目的を達成するために、本発明の階段構造は、複数階の床をつなぐ階段構造であって、矩形パネル状の中央壁と、前記中央壁の外側を取り巻くように設置される廻り階段と、前記廻り階段の外周に設置される外周壁と、を備え、前記廻り階段の内側は、前記中央壁に支持され、前記廻り階段の外側は、前記外周壁に支持され、前記外周壁は、前記外周壁が配置された階の前記床に支持され、前記中央壁は、前記中央壁が配置された階の下階に配置された前記中央壁に連結され、最下階に配置された前記中央壁は、最下階の前記床に支持される。
【０００７】
ここで、本発明の階段構造では、上階の前記床が前記中央壁に接続する辺は、前記中央壁に支持されてもよい。
【０００８】
また、本発明の階段構造では、前記廻り階段は、前記中央壁を取り巻くように、２７０度向きを変えて配置されてもよい。
【０００９】
また、本発明の階段構造では、前記廻り階段の外側は、前記外周壁の内壁に取り付けられた支持手段によって支持されてもよい。
【００１０】
さらに、本発明のユニット建物は、各階を構成する建物ユニットを備え、各階の前記床には、上記の階段構造が接続されてもよい。
【発明の効果】
【００１１】
このように構成された本発明の階段構造では、上階の階段の荷重を分散させることができる。
【００１２】
また、本発明の階段構造では、上階の前記床が前記中央壁に接続する辺は、前記中央壁に支持されることで、上階の階段付近の床の荷重を、中央壁を介して、最下階の床で支持させることができるので、階段付近の床の荷重を分散させることができる。
【００１３】
また、本発明の階段構造では、前記廻り階段は、前記中央壁を取り巻くように、２７０度向きを変えて配置されることで、狭いスペースで、階段の長さを長くすることができるので、階段の勾配を緩やかにしたコンパクトな階段構造とすることができる。
【００１４】
また、本発明の階段構造では、前記廻り階段の外側は、前記外周壁の内壁に取り付けられた支持手段によって支持されることで、廻り階段を、外周壁を貫通することなく支持することができるので、耐火性能に優れた階段構造とすることができる。
【００１５】
上記した構成なので、上記した本発明の床構造の効果を奏するユニット建物とすることができる。
【図面の簡単な説明】
【００１６】
【図１】実施例１のユニット建物の構成を示す構成図である。
【図２】実施例１のユニット建物の構成を示す分解斜視図である。
【図３】実施例１の最下階の建物ユニットの構成を示す斜視図である。
【図４】実施例１の上階の建物ユニットの構成を示す斜視図である。
【図５】実施例１の最上階の建物ユニットの構成を示す斜視図である。
【図６】実施例１の階段ユニットの構成を示す斜視図である。
【図７】実施例１の階段ユニットの構成を示す平面図である。
【図８】実施例１の階段の中央壁への取付構造を示す断面図である。
【図９】実施例１の中央壁について説明する断面図である。
【図１０】実施例１の外周壁について説明する断面図である。
【図１１】実施例１の階段ユニットのジグの構成を示す斜視図である。
【図１２】実施例１の階段ユニットのジグの構成を示す断面図である。
【図１３】実施例１のユニット建物の組立手順を説明する説明図である。
【図１４】実施例１のユニット建物の組立手順を説明する説明図である。
【図１５】実施例１のユニット建物の組立手順を説明する説明図である。
【図１６】実施例１のユニット建物の組立手順を説明する説明図である。
【図１７】実施例１の階段構造の作用を説明する説明図である。
【発明を実施するための形態】
【００１７】
以下、本開示による階段構造およびユニット建物を実現する実施形態を、図面に示す実施例１に基づいて説明する。
【実施例１】
【００１８】
まず、構成を説明する。
実施例１における階段構造及びユニット建物は、最下階と上階と最上階とからなる３階建ての建物の各階の床をつなぐ階段構造を有するユニット建物に適用される。
【００１９】
［ユニット建物の構成］
図１は、実施例１のユニット建物１の構成を示す構成図である。図２は、実施例１のユニット建物１の構成を示す分解斜視図である。以下、図１および図２に基づいて、実施例１のユニット建物１の構成を説明する。
【００２０】
ユニット建物１は、図１および図２に示すように、基礎２の上に最下階の建物ユニット１０が設置され、最下階の建物ユニット１０の上に上階の建物ユニット１１０が設置され、上階の建物ユニット１１０の上に最上階の建物ユニット２１０が設置される多層階構造のものとなっている。
【００２１】
最下階の建物ユニット１０の内部には、最下階の階段ユニット５０が配置され、上階の建物ユニット１１０の内部には、上階の階段ユニット５０が配置される。最上階の建物ユニット２１０の上方には、屋根パネル３が配置される。
【００２２】
［建物ユニットの構成］
図３は、実施例１の最下階の建物ユニットの構成を示す斜視図である。図４は、実施例１の上階の建物ユニットの構成を示す斜視図である。図５は、実施例１の最上階の建物ユニットの構成を示す斜視図である。以下、図３〜図５に基づいて、実施例１の建物ユニットの構成を説明する。なお、説明を簡略化するために、外壁についての説明を省略する。
【００２３】
最下階の建物ユニット１０と、上階の建物ユニット１１０と、最上階の建物ユニット２１０とは、いずれも、４本の角形鋼管から成る柱１１と、これらの柱１１の下端部間を連結した４本の溝形鋼から成る床大梁１２と、これらの柱１１上端部間を連結した４本の溝形鋼から成る天井大梁１３と、を有する骨組み構造体を備える。
【００２４】
（最下階の建物ユニット）
図３に示すように、最下階の建物ユニット１０の対向する長辺側の床大梁１２間には、角形鋼管から成る複数の床小梁１４が略平行に略等間隔で架け渡される。これらの床小梁１４の上に、床板１５が取り付けられる。床板１５の上面は、床を構成する。床板１５の荷重および床板１５に加わる荷重は、床小梁１４と床大梁１２から基礎２に伝えられるようになっている。
【００２５】
最下階の建物ユニット１０の対向する長辺側の天井大梁１３間には、溝形鋼から成る複数の天井小梁１６が略平行に架け渡される。これらの天井小梁１６の下面に天井板１７が取り付けられる。最下階の建物ユニット１０の天井板１７は、階段上に吹き抜け空間を有するように開口する。
【００２６】
最下階の建物ユニット１０において、天井大梁１３の内側であって、最下階の階段ユニット５０が設置される位置には、天井小梁１６が設けられておらず、溝形鋼から成る第１天井補助梁２１と、溝形鋼から成る第２天井補助梁２２と、溝形鋼から成る天井側受金具２３と、溝形鋼から成る天井仮梁２４と、溝形鋼から成る接続金具２５と、が設けられる。
【００２７】
第１天井補助梁２１は、天井小梁１６と直交して、一方の端部が天井小梁１６に、取付金具を介して固定される。第２天井補助梁２２は、天井小梁１６と略平行にして、一方の端部が天井大梁１３に、取付金具を介して固定される。第１天井補助梁２１の他方の端部と、第２天井補助梁２２の他方の端部とは、取付金具を介して固定される。
【００２８】
天井側受金具２３は、天井小梁１６と略平行にして、第２天井補助梁２２に、取付金具を介して、例えば、４つのボルトによって固定される。天井仮梁２４は、一方端が天井大梁１３に、取付金具を介して、例えば２つのボルトによって仮固定され、他方端が天井側受金具２３に、取付金具を介して、例えば２つのボルトによって仮固定される。なお、天井仮梁２４は、ユニット建物１が構築される過程で、撤去される。
【００２９】
接続金具２５は、天井側受金具２３の下方に配置され、後述する中央壁６０の上面と、天井側受金具２３の下面とを接続する。なお、接続金具２５は、ユニット建物１が構築される過程で取り付けられる。
【００３０】
（上階の建物ユニット）
図４に示すように、上階の建物ユニット１１０の対向する長辺側の床大梁１２間には、角形鋼管から成る複数の床小梁１４が略平行に略等間隔で架け渡される。これらの床小梁１４の上に、床板１１５が取り付けられる。床板１１５の上面は、床を構成する。上階の建物ユニット１１０の床板１１５は、階段上に吹き抜け空間を有するように開口する。床板１１５の荷重および床板１１５に加わる荷重は、床小梁１４と床大梁１２から、下階の柱１１を介して、基礎２に伝えられるようになっている。
【００３１】
上階の建物ユニット１１０の対向する長辺側の天井大梁１３間には、溝形鋼から成る複数の天井小梁１６が略平行に架け渡される。これらの天井小梁１６の下面に天井板１７が取り付けられる。上階の建物ユニット１１０の天井板１７は、階段上に吹き抜け空間を有するように開口する。
【００３２】
上階の建物ユニット１１０において、床大梁１２の内側であって、上階の階段ユニット５０が設置される位置には、床小梁１４が設けられておらず、角形鋼管から成る第１床補助梁３１と、角形鋼管から成る第２床補助梁３２と、溝形鋼から成る床側受金具３３と、溝形鋼から成る床仮梁３４と、が設けられる。
【００３３】
第１床補助梁３１は、床小梁１４と直交して、一方の端部が床小梁１４に、取付金具を介して固定される。第２床補助梁３２は、床小梁１４と略平行にして、一方の端部が床大梁１２に、取付金具を介して固定される。第１床補助梁３１の他方の端部と、第２床補助梁３２の他方の端部とは、取付金具を介して固定される。
【００３４】
床側受金具３３は、床小梁１４と略平行にして、第２床補助梁３２に、取付金具を介して、例えば４つのボルトによって固定される。
【００３５】
床仮梁３４は、一方端が床大梁１２に、取付金具を介して、例えば２つのボルトによって、仮固定され、他方端が床側受金具３３に、取付金具を介して、例えば２つのボルトによって、仮固定される。なお、床仮梁３４は、ユニット建物１が構築される過程で、撤去される。
【００３６】
上階の建物ユニット１１０において、天井大梁１３の内側であって、上階の階段ユニット５０が設置される位置には、天井小梁１６が設けられておらず、最下階の建物ユニット１０と同様に、溝形鋼から成る第１天井補助梁２１と第２天井補助梁２２と天井側受金具２３と天井仮梁２４と接続金具２５とが設けられる。
【００３７】
（最上階の建物ユニット）
図５に示すように、最上階の建物ユニット２１０の対向する長辺側の床大梁１２間には、角形鋼管から成る複数の床小梁１４が略平行に略等間隔で架け渡される。これらの床小梁１４の上に、床板１１５が取り付けられる。床板１１５の上面は、床を構成する。最上階の建物ユニット２１０の床板１１５は、階段上に吹き抜け空間を有するように開口する。床板１１５の荷重および床板１１５に加わる荷重は、床小梁１４と床大梁１２から、上階の柱１１と最下階の柱１１を介して、基礎２に伝えられるようになっている。
【００３８】
最上階の建物ユニット２１０の対向する長辺側の天井大梁１３間には、溝形鋼から成る複数の天井小梁１６が略平行に架け渡される。これらの天井小梁１６の下面に天井板１１７が取り付けられる。
【００３９】
最上階の建物ユニット２１０において、床大梁１２の内側であって、上階の階段ユニット５０が設置される位置には、床小梁１４が設けられておらず、上階の建物ユニット１１０と同様に、角形鋼管から成る第１床補助梁３１と第２床補助梁３２と、溝形鋼から成る床側受金具３３と床仮梁３４とが設けられる。
【００４０】
［階段ユニットの構成］
図６は、実施例１の階段ユニットの構成を示す斜視図である。図７は、実施例１の階段ユニットの構成を示す平面図である。図８は、実施例１の階段の中央壁への取付構造を示す断面図である。図９は、実施例１の中央壁について説明する断面図である。図１０は、実施例１の外周壁について説明する断面図である。以下、図６〜図１０に基づいて、実施例１の階段ユニットの構成を説明する。なお、最下階の階段ユニットと上階の階段ユニットとは、同様の構成であるため、最下階の階段ユニットについて説明し、上階の階段ユニットについての説明を省略する。
【００４１】
階段ユニット５０は、図６および図７に示すように、階段ユニット５０の中央に配置される中央壁６０と、中央壁６０の外側を取り巻くように設置される廻り階段５１と、廻り階段５１の外周に設置される外周壁７０と、から構成される。
【００４２】
中央壁６０は、枠状に形成された溝形鋼から成る枠材６１に、二枚の石膏ボード等から成る壁材６２が取り付けられて、矩形パネル状に形成される。枠材６１の内側には、廻り階段５１を支持する溝形鋼から成る複数の内側支持部材６３を有する。
【００４３】
廻り階段５１は、複数の踏板５２と、複数の蹴込み板５３と、蹴込み板５３の両端部に配置される支持手段としての複数のささら板５５と、から構成される。
【００４４】
踏板５２は、アルミニウムやスチールなど金属製の板で形成される。蹴込み板５３は、アルミやスチールなど金属製の板で形成される。蹴込み板５３は、踏板５２に、取付金具などにより取り付けられる。なお、踏板５２と蹴込み板５３は、金属製に限定されるものではない。
【００４５】
ささら板５５は、金属製板材から成り、図８および図１０に示すように、基部５５ａと、基部５５ａの両端部から基部５５ａと垂直方向に延在する張出部５５ｂとから成る角型Ｕ字状（コノ字状）に形成される。ささら板５５は、踏板５２の幅方向両端部に配置され、踏板５２を下方から支持する。
【００４６】
廻り階段５１は、中央壁６０の外側を取り巻くように２７０度向きを変えて、Ｇ字状に形成され、最下階の床から上階の床までアクセス可能に構成される。廻り階段５１の幅方向の一方端は、ささら板５５を介して、中央壁６０に支持される。すなわち、廻り階段５１の内側は、中央壁６０に支持される。
【００４７】
廻り階段５１の幅方向の他方端は、ささら板５５を介して、外周壁７０に支持される。すなわち、廻り階段５１の外側は、外周壁７０に支持される。廻り階段５１は、最下階の建物ユニット１０の床から上階の建物ユニット１１０の床に、中央壁６０を取り巻くように、２７０度向きを変えて配置される。
【００４８】
外周壁７０は、枠状に形成された溝形鋼から成る枠材７１に、二枚の石膏ボード等から成る壁材７２が取り付けられて形成される。枠材７１の内側には、廻り階段５１を支持する溝形鋼から成る複数の外側支持部材７３を有する（図１０参照）。外周壁７０は、廻り階段５１の外周を囲むように、複数設置される。
【００４９】
（廻り階段の中央壁への取付構造）
廻り階段５１の踏板５２は、図８に示すように、ささら板５５を介して中央壁６０に取り付けられる。ささら板５５の張出部５５ｂに、踏板５２が載置される。張出部５５ｂに載置された踏板５２は、ビス９１によって複数個所を固定される。ささら板５５の基部５５ａは、ビス９１によって、中央壁６０の壁材６２を介して、複数個所を内側支持部材６３に固定される。すなわち、ささら板５５は、中央壁６０の壁面に取り付けられる。
【００５０】
（中央壁の取付構造）
図９に示すように、最下階の建物ユニット１０の中央壁６０の上側の枠材６１は、ボルトによって、接続金具２５に固定される。接続金具２５は、ボルトによって、最下階の建物ユニット１０の天井側受金具２３に固定される。上階の建物ユニット１１０の中央壁６０の下側の枠材６１は、ボルトによって、上階の建物ユニット１１０の床側受金具３３に固定される。
【００５１】
上階の床側受金具３３は、ボルトによって、制振シート８１を介して、最下階の建物ユニット１０の天井側受金具２３に固定される。すなわち、上階の建物ユニット１１０に配置された中央壁６０は、その下階に配置された中央壁６０に連結される。
【００５２】
最下階の建物ユニット１０の中央壁６０の下端は、最下階の建物ユニット１０の床板１５上に載置される。すなわち、最下階の建物ユニット１０に配置された中央壁６０は、最下階の建物ユニット１０の床板１５に支持される。
【００５３】
上階の建物ユニット１１０の床板１１５の中央壁６０に接続する辺は、第２床補助梁３２によって支持される。
【００５４】
（外周壁の取付構造）
廻り階段５１の踏板５２は、図１０に示すように、ささら板５５を介して外周壁７０に取り付けられる。ささら板５５の張出部５５ｂに、踏板５２が載置される。張出部５５ｂに載置された踏板５２は、ビス９１によって複数個所を固定される。
【００５５】
ささら板５５の基部５５ａは、ビス９１によって、外周壁７０の壁材７２を介して、複数個所を外側支持部材７３に固定される。すなわち、ささら板５５は、外周壁７０の内壁に取り付けられる。これにより、ささら板５５は、外周壁７０を貫通することなく外周壁７０に取り付けられ、廻り階段５１の外側を支持する。
【００５６】
最下階の建物ユニット１０の外周壁７０は、最下階の建物ユニット１０の床板１５上に載置される。すなわち、外周壁７０は、外周壁７０が配置された階の床板１５に支持される。
【００５７】
［階段ユニットのジグの構成］
図１１は、実施例１の階段ユニットのジグの構成を示す斜視図である。図１２は、実施例１の階段ユニットのジグの構成を示す断面図である。以下、図１１および図１２に基づいて、実施例１の階段ユニットのジグの構成を説明する。なお、最下階の階段ユニットのジグと上階の階段ユニットのジグとは、同様の構成であるため、最下階の階段ユニットのジグについて説明し、上階の階段ユニットのジグについての説明を省略する。
【００５８】
階段ユニット５０のジグ８５は、階段ユニット５０を建物ユニット１０に設置する過程で、廻り階段５１の姿勢を保つために使用される。階段ユニット５０のジグ８５は、図１１に示すように、複数の角形鋼管で形成される。廻り階段５１が中央壁６０と外周壁７０とに取り付けられていない状態で、ジグ８５は、階段ユニット５０の姿勢を保つように、ささら板５５の下側の張出部５５ｂを下方から支持する。
【００５９】
ささら板５５の下側の張出部５５ｂと当接するジグ８５の上面には、図１２に示すように、複数の取付孔８６が形成される。ささら板５５の下側の張出部５５ｂには、ジグ８５の取付孔８６に対応して、複数の取付孔５５ｃが形成される。
【００６０】
ボルト９３が、ささら板５５の取付孔５５ｃを介して、ジグ８５の取付孔８６に挿入されることで、ささら板５５がジグ８５に仮固定される。ささら板５５の取付孔５５ｃとジグ８５の取付孔８６は、ボルト９３の径より十分に大きく形成され、ささら板５５の取付孔５５ｃとジグ８５の取付孔８６に対して着脱自在とする。これにより、作業者は、ジグ８５を階段ユニット５０から容易に取り外すことができる。
【００６１】
［ユニット建物の組立手順］
図１３〜図１７は、実施例１のユニット建物の組立手順を説明する説明図である。以下、図１３〜図１７に基づいて、実施例１のユニット建物の組立手順を説明する。
【００６２】
（階段ユニット取付工程）
階段ユニット取付工程では、図１３に示すように、最下階の階段ユニット５０を最下階の建物ユニット１０に設置する。最下階の建物ユニット１０には、天井仮梁２４が取り付けられている。最下階の階段ユニット５０には、中央壁６０と外周壁７０が取り付けられておらず、ジグ８５が取り付けられている。
【００６３】
（壁取付工程）
壁取付工程では、図１４に示すように、最下階の階段ユニット５０に、中央壁６０と、図１４で手前側以外の外周壁７０と、を取り付ける。
【００６４】
（接続金具取付工程）
接続金具取付工程では、図１５に示すように、接続金具２５を、中央壁６０と天井側受金具２３とに取り付ける。この接続金具取付工程では、１２段目の踏板５２および蹴込み板５３と、１３段目の踏板５２および蹴込み板５３とを階段ユニット５０に取り付ける。
【００６５】
（仮梁取外工程・ジグ取外工程）
仮梁取外工程では、図１６に示すように、天井仮梁２４を最下階の建物ユニット１０から取り外す。ジグ取外工程では、ジグ８５を最下階の階段ユニット５０から取り外す。ジグ取外工程では、図１６で手前側の外周壁７０を取り付ける。
【００６６】
上階の建物ユニット１１０についても、同様に、階段ユニット取付工程と、壁取付工程と、接続金具取付工程と、仮梁取外工程と、ジグ取外工程とを経て組み立てられる。最上階の建物ユニット２１０は、仮梁取外工程を経て組み立てられる。
【００６７】
（建物ユニット設置工程）
建物ユニット設置工程では、図１に示すように、基礎２の上に、最下階の建物ユニット１０が設置される。最下階の建物ユニット１０の上に、上階の建物ユニット１１０が設置される。上階の建物ユニット１１０の上に、最上階の建物ユニット２１０が設置される。
最上階の建物ユニット２１０の上に、屋根パネル３が設置される。
【００６８】
このように、ユニット建物１は、階段ユニット取付工程と、壁取付工程と、接続金具取付工程と、仮梁取外工程と、ジグ取外工程と、建物ユニット設置工程とを経て、組み立てられる。
【００６９】
次に、作用を説明する。
実施例１の階段構造及びユニット建物における作用を説明する。図１７は、実施例１の階段構造の作用を説明する説明図である。
【００７０】
実施例１の階段構造は、複数階の床をつなぐ階段構造であって、矩形パネル状の中央壁６０と、中央壁６０の外側を取り巻くように設置される廻り階段５１と、廻り階段５１の外周に設置される外周壁７０と、を備え、廻り階段５１の内側は、中央壁６０に支持され、廻り階段５１の外側は、外周壁７０に支持され、外周壁７０は、外周壁７０が配置された階の床に支持され、中央壁６０は、中央壁６０が配置された階の下階に配置された中央壁６０に連結され、最下階に配置された中央壁６０は、最下階の床に支持される（図９，図１０）。
【００７１】
これにより、図１７に示すように、上階の建物ユニット１１０の廻り階段５１の荷重の一部を、上階の建物ユニット１１０の中央壁６０から、最下階の中央壁６０を介して、最下階の建物ユニット１０の床板１５に伝える。また、最下階の建物ユニット１０の廻り階段５１の荷重の一部を、最下階の建物ユニット１０の中央壁６０から、最下階の建物ユニット１０の床板１５に伝える。また、上階の建物ユニット１１０の廻り階段５１の荷重の一部を、上階の建物ユニット１０の外周壁７０から、上階の建物ユニット１０の床板１１５に伝える。また、最下階の建物ユニット１０の廻り階段５１の荷重の一部を、最下階の建物ユニット１０の外周壁７０から、最下階の建物ユニット１０の床板１５に伝える。そのため、上階の廻り階段５１の荷重を分散させることができる。
【００７２】
実施例１の階段構造は、上階の床が中央壁６０に接続する辺は、中央壁６０に支持される（図９）。これにより、階段付近の上階の床の荷重を、中央壁６０を介して、最下階の床で支持することができる。そのため、階段付近の上階の床の荷重を分散させることができる。
【００７３】
実施例１の階段構造は、廻り階段５１は、中央壁６０を取り巻くように、２７０度向きを変えて配置される（図７）。これにより、狭いスペースで、階段の長さを長くすることができる。そのため、階段の勾配を緩やかにしたコンパクトな階段とすることができる。
【００７４】
実施例１の階段構造は、廻り階段５１の外側は、外周壁７０の内壁に取り付けられた支持手段（ささら板５５）によって支持される（図１０）。これにより、廻り階段５１は、外周壁７０を貫通することなく支持される。そのため、耐火性能に優れた階段構造とすることができる。
【００７５】
実施例１のユニット建物１は、各階を構成する建物ユニットを備え、各階の床には、上記階段構造が接続される（図２）。これにより、各階の階段ユニットを、別々の建物ユニットに設置することができる。そのため、ユニット建物の施工性を向上させることができる。
【００７６】
以上、本開示の階段構造およびユニット建物を実施例１に基づき説明してきた。しかし、具体的な構成については、この実施例に限られるものではなく、特許請求の範囲の各請求項に係る発明の要旨を逸脱しない限り、設計の変更や追加等は許容される。
【００７７】
実施例１では、第１天井補助梁２１と、第２天井補助梁２２と、天井側受金具２３と、天井仮梁２４と、接続金具２５と、床側受金具３３と、床仮梁３４とは、溝形鋼から成る例を示した。しかし、これらは、角形鋼管であっても良いし、スチフナなどの補強プレートが溶接などにより取り付けられてもよい。
【００７８】
実施例１では、第１床補助梁３１と、第２床補助梁３２とは、角形鋼管から成る例を示した。しかし、これらは、溝形鋼であっても良いし、スチフナなどの補強プレートが溶接などにより取り付けられてもよい。
【００７９】
実施例１では、床板１１５と天井板１７が、階段上に吹き抜け空間を有するように開口する例を示した。しかし、床板と天井板としては、開口を有さずに、複数に分割されて設けられてもよい。
【００８０】
実施例１では、外周壁は、間仕切りとする例を示した。しかし、外周壁としては、界壁、外壁、内壁など、様々な壁に適用することができる。
【００８１】
実施例１では、本発明を３階建ての建物の各階の床をつなぐ階段構造を有するユニット建物に適用する例を示した。しかし、本発明は、屋上を有する２階建の建物や、４階建以上の建物に適用することができる。
【００８２】
実施例１では、本発明とユニット建物に適用する例を示した。しかし、本発明は、一般的な鉄骨構造の建物や、在来工法の建物、ツーバイフォー式の建物にも適用可能である。
【符号の説明】
【００８３】
１      ユニット建物
１０，１１０，２１０    建物ユニット
５１    廻り階段
５５    ささら板（支持手段の一例）
６０    中央壁
７０    外周壁
【図１】
2019127772.tif 000003
【図２】
2019127772.tif 000004
【図３】
2019127772.tif 000005
【図４】
2019127772.tif 000006
【図５】
2019127772.tif 000007
【図６】
2019127772.tif 000008
【図７】
2019127772.tif 000009
【図８】
2019127772.tif 000010
【図９】
2019127772.tif 000011
【図１０】
2019127772.tif 000012
【図１１】
2019127772.tif 000013
【図１２】
2019127772.tif 000014
【図１３】
2019127772.tif 000015
【図１４】
2019127772.tif 000016
【図１５】
2019127772.tif 000017
【図１６】
2019127772.tif 000018
【図１７】
2019127772.tif 000019